(57)【要約】      （修正有）【課題】ワイヤレスコミュニケーションシステムの半持続性の伝送リソースを処理する。【解決手段】ワイヤレスコミュニケーションシステムは、キャリアアグリゲーションと半永続スケジューリング(SPS)をサポートする。キャリアアグリゲーションは、ワイヤレスコミュニケーションシステムのユーザー装置(UE)が、複数のキャリアを用いて、伝送、及び/又は、受信を実行することができるようにする。本方法は、アップリンクキャリアとダウンリンクキャリアを含むセルにより、RRC接続を構築するステップと、第一RRCメッセージにより、少なくとも一つのダウンリンクキャリアをUEに配置するステップと、UEのSPSセル無線ネットワーク一時識別子にアドレスされる物理ダウンリンク制御チャネル(PDCCH)シグナリングを伝送して、半持続性の伝送リソースをUEに配置、又は、再配置するか、又は、SPS再伝送をトリガーするステップとを含む。【選択図】図４
2011142628.tif 000002
【特許請求の範囲】
【請求項１】
ワイヤレスコミュニケーションシステムのネットワーク端子の半持続性の伝送リソースの処理方法であって、前記ワイヤレスコミュニケーションシステムは、キャリアアグリゲーションと半永続スケジューリング(SPS)をサポートし、前記方法は、
UEから伝送するアップリンクキャリア、及び、前記UEにより受信するダウンリンクキャリアを含むセルにより、前記UEと無線リソース制御(RRC)接続を構築するステップと、
前記第一RRCメッセージにより、複数のダウンリンクキャリアを前記UEに配置するステップと、
前記UEに配置される前記複数のダウンリンクキャリアの特定キャリア上で、前記UEのSPSセル無線ネットワーク一時識別子にアドレスされる物理ダウンリンク制御チャネル(PDCCH)シグナリングを伝送するステップと、
を含み、前記PDCCHシグナリングは、前記UEに、SPSリソースを前記UEに配置、又は、再配置するか、又は、SPS再伝送をトリガーするように指示することを特徴とする方法。
【請求項２】
更に、第二RRCメッセージにより、SPS配置を前記UEに提供するステップを含み、前記SPS配置は、前記特定キャリアに関連するセルだけに設定情報を含むことを特徴とする請求項１に記載の方法。
【請求項３】
更に、第二RRCメッセージにより、SPS配置を前記UEに提供するステップを含み、前記第二RRCメッセージは、前記UEの前記SPS  C-RNTIにアドレスされる前記PDCCHシグナリングを伝送するのに用いられる前記特定キャリアを示す情報を含むことを特徴とする請求項１に記載の方法。
【請求項４】
前記特定キャリアは、前記UEが前記RRC接続を構築するのに用いられるサービングセルに対応することを特徴とする請求項１に記載の方法。
【請求項５】
前記第一RRCメッセージはRRC接続再配置メッセージであることを特徴とする請求項１に記載の方法。
【請求項６】
ワイヤレスコミュニケーションシステムのユーザー装置（UE）の半持続性の伝送リソースの処理方法であって、前記ワイヤレスコミュニケーションシステムは、キャリアアグリゲーションと半永続スケジューリング(SPS)をサポートし、前記方法は、
前記UEから伝送されるアップリンクキャリア、及び、前記UEにより受信されるダウンキャリアリンクを含むセルにより、前記ワイヤレスコミュニケーションシステムのネットワーク端子と無線リソース制御(RRC)接続を構築するステップと、
情報を有する第一RRCメッセージを受信し、前記UEに複数のダウンリンクキャリアを配置するステップと、
前記UEに配置される前記複数のダウンリンクキャリアの特定キャリア上だけで、SPSセル無線ネットワーク一時識別子(SPS  C-RNTI)にアドレスされる物理ダウンリンク制御チャネル(PDCCH)シグナリングを監視するステップと、
からなり、前記PDCCHシグナリングが用いられて、SPSリソースを獲得し、SPS伝送を開始し、SPSリソースを更新/除去するか、又は、SPS再伝送を実行することを特徴とする方法。
【請求項７】
更に、SPS配置を提供する第二RRCメッセージを受信するステップと含み、前記SPS配置は、前記特定キャリアと関連するセルにだけ設定情報を含むことを特徴とする請求項６に記載の方法。
【請求項８】
更に、SPS配置を提供する第二RRCメッセージを受信するステップを含み、前記第二RRCメッセージは、前記UEが前記SPS  C-RNTIにアドレスされる前記PDCCHシグナリングを監視する前記特定キャリアを示す情報を含むことを特徴とする請求項６に記載の方法。
【請求項９】
前記特定キャリアは、前記UEが前記RRC接続を構築するのに用いられるサービングセルに対応することを特徴とする請求項６に記載の方法。
【請求項１０】
前記第一RRCメッセージはRRC接続再配置メッセージであることを特徴とする請求項６に記載の方法。
【請求項１１】
ワイヤレスコミュニケーションシステムのユーザー装置(UE)の半持続性の伝送リソースを処理する通信装置であって、前記ワイヤレスコミュニケーションシステムは、キャリアアグリゲーションと半永続スケジューリング(SPS)をサポートし、前記通信装置は、
プログラムを実行するプロセッサと、
前記プロセッサに結合され、前記プログラムを保存するメモリと、
を有し、前記プログラムは、前記プロセッサに、
前記UEから伝送されるアップリンクキャリア、及び、前記UEにより受信されるダウンリンクキャリアを含むセルにより、前記ワイヤレスコミュニケーションシステムのネットワーク端子と無線リソース制御(RRC)接続を構築する;
情報を有する第一RRCメッセージを受信し、前記UEに複数のダウンリンクキャリアを配置する;
前記UEに配置される前記複数のダウンリンクキャリアの特定キャリア上だけで、SPSセル無線ネットワーク一時識別子(SPS  C-RNTI)にアドレスされる物理ダウンリンク制御チャネル(PDCCH)シグナリングを監視し、前記PDCCHシグナリングが用いられて、SPSリソースを獲得して、SPS伝送を開始し、SPSリソースを更新/除去するか、又は、SPS再伝送を実行することを指示することを特徴とする通信装置。
【請求項１２】
前記プログラムは、更に、前記プロセッサに、SPS配置を提供する第二RRCメッセージを受信するように指示し、前記SPS配置は、前記特定のキャリアに関連するセルだけに配置情報を含むことを特徴とする請求項１１に記載の通信装置。
【請求項１３】
前記プログラムは、更に、前記プロセッサに、SPS配置を提供する第二RRCメッセージを受信するように指示し、前記第二RRCメッセージは、前記UEが前記SPS  C-RNTIにアドレスされる前記PDCCHシグナリングを監視する前記特定キャリアを示す情報を含むことを特徴とする請求項１１に記載の通信装置。
【請求項１４】
前記特定キャリアは、前記UEが前記RRC接続を構築するのに用いられるサービングセルに対応することを特徴とする請求項１１に記載の通信装置。
【請求項１５】
前記第一RRCメッセージはRRC接続再配置メッセージであることを特徴とする請求項１１に記載の通信装置。
【発明の詳細な説明】
【技術分野】
【０００１】
本発明は、ワイヤレスコミュニケーションシステムに関するものであって、特に、伝送リソースの半永続スケジューリング(SPS)を効果的に処理することができる方法と装置に関するものである。
【背景技術】
【０００２】
ロングタームエボリューションワイヤレスコミュニケーションシステム(LTEシステム)、進歩的な高速ワイヤレスコミュニケーションシステムは、パケット切り換え伝送だけをサポートする。LTEシステムは、動的スケジューリング(DS)と半永続スケジューリング(SPS)の二個のスケジューリング方法を有する。DSは、ネットワーク端子が、物理ダウンリンク制御チャネル(PDCCH)上で、制御シグナリングをユーザー装置（UE）に伝送することにより、リソースを動的に割り当てる。データ受信、又は、伝送に割り当てられるリソース、即ち、特定周波数とタイムスロットは、流量とサービス品質(QoS)等の要求によって変化する。SPSは、ネットワーク端子が、半静的サイズのデータを周期的に生成する上層アプリケーション、例えば、ボイップ(VoIP)サービスに仕えるために、半持続性のリソースを周期的にUEに割り当てる。これは、PDCCH上で伝送される制御シグナリングを減少させ、システムスケジューリングパフォーマンスを増加する。SPSを用いると、UEは、周期的に、データ伝送を実行することができ、追加のPDCCHシグナリングを受信しない。
【０００３】
DSにより割り当てられるリソースは、UEのセル無線ネットワーク一時識別子(C-RNTI)にアドレスされる。SPSにより割り当てられるリソースは、UEのSPS  C-RNTIに割り当てられる。SPS  C-RNTIは、無線リソース制御(RRC)層により、ネットワーク端子により割り当てられる特定のUE識別である。SPS  C-RNTIは、主に、SPSリソースの配置と再配置、及び、SPS再伝送の指示に用いられる。詳細には、UEが割り当てられたSPS  C-RNTIを有する時、UEは、PDCCH上のSPS  C-RNTIを監視し、PDCCHに含まれる新データ指標(NDI)に従って、後続の操作を決定する必要がある。NDIの値が0の場合、SPSリソースが配置、又は、再配置される必要があることを示す。NDIの値が1の場合、SPS再伝送を示す。
【０００４】
第3世代(3G)移動体通信システムの標準化プロジェクト(3GPP)が次世代のLTEシステム、LTE  Advanced(LTE-A)システムに指定され始めている。二個以上のコンポーネントキャリアが協議されるキャリアアグリゲーション(CA)は、LTE-A  システムに含まれて、広い伝送帯域幅、例えば、最高100MHzをサポートし、スペクトルアグリゲーションする。言い換えると、LTE-Aシステム中、UEは、複数のサブキャリアを用いて、ネットワーク端子とデータ伝送し、伝送帯域幅と効率スペクトルを増加する。
【０００５】
CAを用いると、UEがセル(アップリンクサブキャリアとダウンリンクサブキャリアを含む)により、ネットワーク端子とRRC接続を構築後、ネットワーク端子は、RRCメッセージにより、一つ、或いは、それ以上のダウンリンクサブキャリアをUEに配置し、これにより、UEは、同時に、複数のサブキャリアを用いて、データ伝送を実行することができる。ネットワーク端子がSPSを用いる場合、UEは、多数のダウンリンクサブキャリアのPDCCHを監視して、半持続性のリソースを配置、又は、再配置するか、又は、SPS再伝送をトリガーするかを決定する必要がある。このような状況下で、配置されるサブキャリアが増加すると、UEが監視する必要があるPDCCHも増加する。これは、電力消耗、又は、SPS不正アラームレートを増加させる。
【発明の概要】
【発明が解決しようとする課題】
【０００６】
本発明は、ワイヤレスコミュニケーションシステムの半持続性の伝送リソースの処理方法と装置を提供し、上述の問題を解決することを目的とする。
【課題を解決するための手段】
【０００７】
本発明は、ワイヤレスコミュニケーションシステムのネットワーク端子中に用いる半持続性の伝送リソースの処理方法を提供し、ワイヤレスコミュニケーションシステムは、キャリアアグリゲーションと半永続スケジューリング(SPS)をサポートする。本方法は、UEから伝送するアップリンクキャリア、及び、UEにより受信するダウンリンクキャリアを含むセルにより、UEと無線リソース制御(RRC)接続を構築するステップと、第一RRCメッセージにより、複数のダウンリンクキャリアをUEに配置するステップと、UEに配置される複数のダウンリンクキャリアの特定キャリア上で、UEのSPSセル無線ネットワーク一時識別子にアドレスされる物理ダウンリンク制御チャネル(PDCCH)シグナリングを伝送するステップと、を含み、PDCCHシグナリングは、UEに、SPSリソースの配置、又は、再配置、又は、SPS再伝送のトリガーを指示する。
【０００８】
本発明は、更に、ワイヤレスコミュニケーションシステムのユーザー装置（UE）の半持続性の伝送リソースの処理方法を提供し、ワイヤレスコミュニケーションシステムは、キャリアアグリゲーションと半永続スケジューリング(SPS)をサポートする。本方法は、UEから伝送されるアップリンクキャリア、及び、UEにより受信されるダウンキャリアリンクを含むセルにより、ワイヤレスコミュニケーションシステムのネットワーク端子と無線リソース制御(RRC)接続を構築するステップと、情報を有する第一RRCメッセージを受信し、UEに複数のダウンリンクキャリアを配置するステップと、UEに配置される複数のダウンリンクキャリアの特定キャリア上だけで、SPSセル無線ネットワーク一時識別子(SPS  C-RNTI)にアドレスされる物理ダウンリンク制御チャネル(PDCCH)シグナリングを監視するステップと、からなり、PDCCHシグナリングが用いられて、SPSリソースを獲得し、SPS伝送を開始し、SPSリソースを更新/除去するか、又は、SPS再伝送を実行する。
【０００９】
本発明は、また、ワイヤレスコミュニケーションシステムのユーザー装置(UE)の半持続性の伝送リソースを処理する通信装置を提供し、ワイヤレスコミュニケーションシステムは、キャリアアグリゲーションと半永続スケジューリング(SPS)をサポートする。通信装置は、プログラムを実行するプロセッサと、プロセッサに結合され、プログラムを保存するメモリと、を有し、プログラムは、プロセッサに以下のことを指示する；UEから伝送されるアップリンクキャリア、及び、UEにより受信されるダウンリンクキャリアを含むセルにより、ワイヤレスコミュニケーションシステムのネットワーク端子と無線リソース制御(RRC)接続を構築する;情報を有する第一RRCメッセージを受信し、UEに複数のダウンリンクキャリアを配置する;UEに配置される複数のダウンリンクキャリアの特定キャリア上だけで、SPSセル無線ネットワーク一時識別子(SPS  C-RNTI)にアドレスされる物理ダウンリンク制御チャネル(PDCCH)シグナリングを監視し、PDCCHシグナリングが用いられて、SPSリソースを獲得して、SPS伝送を開始し、SPSリソースを更新/除去するか、又は、SPS再伝送を実行する。
【発明の効果】
【００１０】
SPS不正アラームレートが減少する。UEの電力消耗が減少する。
【図面の簡単な説明】
【００１１】
【図１】ワイヤレスコミュニケーションシステムを示す図である。
【図２】ワイヤレスコミュニケーション装置を示す図である。
【図３】ワイヤレスコミュニケーション装置のプログラムを示す図である。
【図４】半持続性スケジューリングの伝送シグナリングのプロセスのフローチャートである。
【図５】半持続性スケジューリングの受信シグナリングのプロセスのフローチャートである。
【発明を実施するための形態】
【００１２】
以下で記述する具体例のワイヤレスコミュニケーションシステム、装置、及び、関連方法は、ブローバンドサービスをサポートするワイヤレスコミュニケーションシステムを用いる。ワイヤレスコミュニケーションシステムは、音声、データ等の各種通信に幅広く応用される。これらのシステムは、符号分割多重アクセス(CDMA)、時分割多重アクセス(TDMA)、直交周波数分割多元接続(OFDMA)、3GPP  LTE(ロングタームエボリューション)無線アクセス、3GPP2  UMB(Ultra  Mobile  Broadband)、WiMax、又は、その他の変調技術に基づく。
【００１３】
特に、以下で記述するワイヤレスコミュニケーションシステム、装置、及び、方法は、一つ、或いは、それ以上の基準、例えば、3GPP  TR  25.331(“無線リソース制御(RRC):プロトコル仕様(Release  8)”)と3GPP  TSG-RAN2  R2-097507(“LTE契約のMBMSを捕捉する基本的CR”)を含む３GPPとして知られる“第3世代(3G)移動体通信システムの標準化プロジェクト”と称される組織により提供される基準をサポートする。以上の基準と資料は、ここで、特別に組み込まれる。
【００１４】
図1は、ワイヤレスコミュニケーションシステム10を示す図である。ワイヤレスコミュニケーションシステム10は、好ましくは、LTE  advanced(LTE-A)システムで、ネットワーク端子11と複数のユーザー装置(UE)21-29を含む。図1中、ネットワーク端子11とUE21-29は、ワイヤレスコミュニケーションシステム10の構造を示す。特に、ネットワーク端子11は、特定の実施において、実際の需要に従って、多数の基地局(Node  Bs)、無線ネットワークコントローラー等を含む。UEは、例えば、携帯電話、コンピュータシステム等の装置である。
【００１５】
図2は、無線通信装置100を示す図である。無線通信装置100は、図1のワイヤレスコミュニケーションシステムのネットワーク端子11とUE21-29中に用いられる。簡潔にするため、図2は、通信装置100の入力装置102、出力装置104、制御回路106、中央処理ユニット(CPU)108、メモリ110、プログラム112、及び、トランシーバー114だけを示している。通信装置100中、制御回路106は、CPU108により、メモリ100中のプログラム112を実行し、これにより、通信装置100の操作を制御する。通信装置100は、入力装置102、例えば、キーボートにより、ユーザーから入力される信号を受信し、ディスプレイやスピーカー等の出力装置104により、イメージや音声を出力することができる。トランシーバー114は、無線信号の伝送と受信に用いられる。トランシーバー114は受信した信号を制御回路106に伝送し、制御回路106により生成される信号をワイヤレス伝送する。コミュニケーションプロトコルフレームワークの観点から、トランシーバー114は第一層の一部に関連し、制御回路106は、第二層と第三層の一部に関連する。
【００１６】
図3は、図2の通信装置のプログラム112を示す図である。プログラム112は、応用層200、第三層202、及び、第二層206を含み、第一層218に結合される。第三層202は無線リソース制御を実行する。第二層206は、無線リンク制御(RLC)層と媒体アクセス制御(MAC)層を含み、リンク制御を実行する。第一層218は物理接続を実行する。
【００１７】
LTE-Aシステム中、第一層218と第二層206は、キャリアアグリゲーション(CA)をサポートし、UEが、複数のキャリアを用いて、データ伝送、及び/又は、受信できるようにする。LTEシステムのようなLTE-Aシステムは、二個のスケジューリング方法、動的スケジューリング(DS)と半永続スケジューリング(SPS)を有する。ネットワーク端子がSPS配置をUEに伝送後、UEは、SPS  C-RNTIにアドレスされるシグナリングの物理ダウンリンク制御チャネル(PDCCH)を監視する必要がある。PDCCHシグナリングに含まれる新データ指標(NDI)は、半持続性のリソースが配置、又は、再配置されるか、又は、SPS再伝送がトリガーされるか指示する。第一第二層18中でプログラム220を処理する半持続性の伝送リソースが用いられて、UEに必要な消費電力とシステムリソースを減少させ、PDCCH中のSPS  C-RNTIメッセージを監視する。
【００１８】
図4と図5は、それぞれ、プロセス40と50のフローチャートである。プロセス40は、ワイヤレスコミュニケーションシステム10のネットワーク端子に用いられ、プロセス50は、ワイヤレスコミュニケーションシステム10のUEに用いられる。プロセス40と50は協力して、半持続性の伝送リソースを処理し、それぞれ、ネットワーク端子とUEのプログラム220を処理する半持続性の伝送リソース中に用いることができる。
【００１９】
図4で示されるプロセス40は、ネットワーク端子により実行される。プロセスは、ステップ400、例えば、ネットワーク端子がUEと接続を構築する時から開始される。
【００２０】
ステップ401中、プロセスは、UEと無線リソース制御(RRC)接続を構築する。プロセスは、UE伝送と受信のアップリンクキャリアとダウンリンクキャリアを含むセルにより、RRC接続を構築する。
【００２１】
ステップ402中、プロセスは、一つ、或いは、それ以上のダウンリンクキャリアをUEに配置する。プロセスは、RRC接続上でメッセージを伝送することにより、ダウンリンクキャリアを配置する。
【００２２】
ステップ404中、プロセスは、UEのSPS  C-RNTIにアドレスされるPDCCHシグナリングを伝送する。プロセスは、UEに割り当てられるダウンリンクキャリアの特定キャリア上で、PDCCHシグナリングを伝送する。PDCCHシグナリングは、UEに、半持続性の伝送リソースを配置(又は、再配置)、又は、SPS再伝送のトリガーを指示する。プロセスは、ステップ406で終了する。
【００２３】
図5で示されるプロセス50は、UEにより実行される。プロセスはステップ500、例えば、ネットワーク端子がUEと接続を構築する時開始される。
【００２４】
ステップ501中、プロセスは、ネットワーク端子とRRC接続を構築する。RRC接続は、UE伝送と受信のアップリンクキャリアとダウンリンクキャリアを含むセルにより構築される。
【００２５】
ステップ502中、プロセスはRRCメッセージを受信する。図4のステップ402で示されるように、RRCメッセージはネットワーク端子により伝送される。RRCメッセージは、一つ、或いは、それ以上のダウンリンクキャリアをUEに配置する。
【００２６】
ステップ504中、プロセスは、UEに関連するSPS  C-RNTIにアドレスされるシグナリングのPDCCHを監視する。プロセスは、UEに割り当てられるダウンリンクキャリアの特定キャリア上でだけ監視する。シグナリングは、UEに、SPSリソースを得て、SPS伝送を開始し、SPSリソースを更新、又は、除去するか、又は、SPS再伝送を実行することを指示する。その後、プロセスはステップ506で終了する。
【００２７】
上述からわかるように、プロセス40によると、CAが配置された後、ネットワーク端子が、半持続性の伝送リソースをUEに配置、又は、再配置したい、又は、SPS再伝送をトリガーしたい場合、ネットワーク端子は、特定キャリア上だけで、UEのSPS  C-RNTIにアドレスされるPDCCH信号を伝送する。それに対応して、プロセス50によると、UEは、特定キャリア上で、SPS  C-RNTIにアドレスされるPDCCHシグナリングを監視する。言い換えると、CAが多数のキャリアをUEに配置するときでも、ネットワーク端子は、特定キャリア上で、SPS  C-RNTIにアドレスされるPDCCHシグナリングを伝送する。それに対応して、UEは、特定キャリアを監視するだけで、SPSリソースを得て、SPS伝送を開始し、SPSリソース更新/除去するか、又は、SPS再伝送することができる。その結果、SPS不正アラームレートが減少する。UEの電力消耗が減少する。
【００２８】
更に、PDCCHシグナリングに用いられる特定キャリアはサービングセルに対応し、即ち、セル(プライマリーセルと呼ばれる)は、UEとネットワーク端子間のRRC接続の構築に用いられる。CAが設定された後、プライマリーセルだけが、アップリンクとダウンリンクSPSをサポートし、セカンダリーセルはしない。
【００２９】
ある具体例中、ネットワーク端子は、更に、別のRRCメッセージ中に情報を含み、SPS配置を提供して、UEのSPS  C-RNTIにPDCCHシグナリングを伝送するのに用いられる特定キャリアに信号を送る。このRRCメッセージはRRC接続再配置メッセージと呼ばれる。その結果、UEは、情報に従って、監視されるべきキャリアを決定する。
【００３０】
SPS配置を提供するのに用いられるRRC接続再配置メッセージは、SPS設定情報素子SPS-Configを含む。多くの具体例中のSPS設定情報素子SPS-Configは、プロセス40と50の特定キャリアに対応するセルにだけ関連する。つまり、半持続性の伝送リソースは、セルにだけ配置される。
【００３１】
記述と関係する方法、又は、演算法のステップは、直接、ハードウェア、プロセッサにより実施されるソフトウェアモジュール、又は、二個の組み合わせ中で具体化される。ソフトウェアモジュール(実行可能な命令と関連データを含む)と別のデータは、データメモリ、例えば、RAMメモリ、フラッシュメモリ、ROMメモリ、EPROMメモリ、EEPROMメモリ、レジスタ、ハードディスク、リムーバブルディスク、CD-ROM、DVD、又は、既知の別の形式のコンピュータ-可読ストレージ媒体に存在する。サンプルストレージ媒体は、機械、例えば、コンピュータ/プロセッサ(本文中では、便宜上、“プロセッサ”とされる)に結合され、このようなプロセッサは、ストレージ媒体から情報(例えば、コード)を読み取ったり、ストレージ媒体に情報を書き込んだりすることができる。サンプルストレージ媒体は、プロセッサに整合される。プロセッサとストレージ媒体はASICに存在する。ASICはユーザー装置に存在する。別の方法では、プロセッサとストレージ媒体は、ユーザー装置中の個別部品として存在する。更に、ある態様で、あらゆる適当なコンピュータ-プログラム製品は、一つ、或いは、それ以上の複数の記述に関連するコードを含むコンピュータ-可読媒体からなる。ある態様で、コンピュータプログラム製品は、パッケージ材料を含む。
【００３２】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【符号の説明】
【００３３】
ワイヤレスコミュニケーションシステム  10
ネットワーク端子  11
複数のユーザー装置(UE)  21-29
無線通信装置  100
入力装置  102
出力装置  104
制御回路  106
中央処理ユニット(CPU)  108
メモリ  110
プログラム  112
トランシーバー  114
通信装置のプログラム  112
応用層  200
第三層  202
第二層  206
第一層  218
プログラム  220
プロセス  40と50
ステップ  400〜406、500〜506
【図１】
2011142628.tif 000003
【図２】
2011142628.tif 000004
【図３】
2011142628.tif 000005
【図４】
2011142628.tif 000006
【図５】
2011142628.tif 000007
【外国語明細書】
2011142628000001.pdf